(57)【要約】【課題】ＨＤＭＩケーブルを介して接続された受信機器において砂嵐のような異常な映像が表示され、また雑音が発生することが生じた場合に簡単な操作でＨＤＭＩ接続を正常な状態に復帰させることができる送信機器を提供する。【解決手段】受信機器には砂嵐のような異常な映像が表示され、また、雑音が発生することが生じた場合に、ユーザは、その異常状態を解消するために、リセットキーを押下すると、切断要求判定手段は、ＨＤＭＩケーブルの切断要求が有ったと判定し、更に、未接続状態設定手段は、送信機器と受信機器とがＨＤＭＩケーブルにより接続されていない状態であると見なす等価的な未接続状態に設定する。この後、再接続処理手段は、ＨＰＤのラインの電圧を検出することにより、ＨＤＭＩケーブルの再接続処理を行う。そして、前記再接続処理が完了すると、復帰手段は、正常なＨＤＭＩの出力／入力状態に復帰させる。【選択図】図３
2008182525.tif 000002
【特許請求の範囲】
【請求項１】
ＨＤＭＩケーブルを介して接続された受信機器に映像音声信号を送信するＨＤＭＩ対応の送信機器において、
受信機器での映像／音声の出力状態が異常になったときに、リモコンまたは本体操作部に設けられた切断要求用キーのユーザ操作によるＨＤＭＩケーブルの切断要求が有ったか否かを判定する切断要求判定手段と、
前記切断要求が有ったと判定されたとき、送信機器と受信機器とがＨＤＭＩケーブルにより接続されていない状態であると見なす等価的な未接続状態に設定する未接続状態設定手段と、
ＨＤＭＩケーブルを等価的な未接続状態に設定された後、ＨＤＭＩケーブルに含まれ受信機器との接続の有無を検出するためのフォト・プラグ・ディテクタのラインの電圧を検出することにより、ＨＤＭＩケーブルの再接続処理を行う再接続処理手段と、
前記再接続処理が完了すると、正常なＨＤＭＩの出力／入力状態に復帰させる復帰手段と、を有するシステムコントローラを備えたことを特徴とする送信機器。
【請求項２】
ＨＤＭＩケーブルを介して接続された受信機器に映像音声信号を送信するＨＤＭＩ対応の送信機器において、
受信機器での映像／音声の出力状態が異常になったときに、ユーザ操作によるＨＤＭＩケーブルの切断要求が有ったと判定したとき、ＨＤＭＩケーブルを等価的な未接続状態に設定し、この後、ＨＤＭＩケーブルに含まれ受信機器との接続の有無を検出するためのフォト・プラグ・ディテクタのラインの電圧を検出することにより、ＨＤＭＩケーブルの再接続処理を行い、正常なＨＤＭＩの出力／入力状態に復帰させる制御を行うシステムコントローラを備えたことを特徴とする送信機器。
【請求項３】
前記システムコントローラは、受信機器での映像／音声の出力状態が異常になったときに、リモコンまたは本体操作部に設けられた切断要求用キーのユーザ操作によるＨＤＭＩケーブルの切断要求が有ったか否かを判定する切断要求判定手段と、送信機器と受信機器とがＨＤＭＩケーブルにより接続されていない状態であると見なす等価的な未接続状態に設定する未接続状態設定手段と、ＨＤＭＩケーブルを等価的な未接続状態に設定された後、ＨＤＭＩケーブルに含まれ受信機器との接続の有無を検出するためのフォト・プラグ・ディテクタのラインの電圧を検出することにより、ＨＤＭＩケーブルの再接続処理を行う再接続処理手段と、前記再接続処理が完了すると、正常なＨＤＭＩの出力／入力状態に復帰させる復帰手段とを有することを特徴とする請求項２に記載の送信機器。
【発明の詳細な説明】
【技術分野】
【０００１】
本発明は、ＨＤＭＩケーブルを介して接続されたテレビジョン受像機などの受信機器に映像音声信号を送信するＨＤＭＩ対応のＤＶＤプレイヤやＤＶＤレコーダあるいはハードディスクレコーダなどの送信機器に関し、特に、受信機器から出力される映像や音声が異常になったときに映像や音声を正常に復帰させる際の処理に関する。
【背景技術】
【０００２】
近年、ＤＶＤプレイヤなどに用いるテレビジョン受像機の表示画面の超高精細化は、液晶パネル製造技術の進歩によって著しく発展して、非常に膨大な情報量のビデオデータを高精細に表示することが可能になった。このようなテレビジョン受像機では、非常に多くのビデオデータおよびオーディオデータをＤＶＤプレイヤなどから送信させるため、ＨＤＭＩ（High Definition Multimedia Interface）と言うインターフェイスが用いられている。ＨＤＭＩ規格には、例えば、デジタル映像信号のブランキング期間にデジタル音声信号を多重化して音声伝送を行うことが可能である事、デジタル映像信号をＲＧＢ信号の形態で伝送する他にＹＣｂＣｒ信号の形態またはそれより高画質なＹＰｂＰｒ信号の形態で伝送することが可能である事、ＵＳＢ（Universal Serial Bus）ライクの小型のＨＤＭＩコネクタで接続することが可能である事など、ＤＶＩ規格にない種々の規定が盛り込まれている。
【０００３】
ＨＤＭＩは、ＤＶＤプレイヤなどの送信機器からテレビジョン受像機やプロジェクタなどの受信機器へビデオデータおよびオーディオデータを送信するためのインターフェイスである。ＨＤＭＩは、従来の規格であるＤＶＩ（Digital Visual Interface）Ver1.0を拡張したものである。具体的には、ＤＶＩはビデオデータのみを送信する規格のインターフェイスであるのに対し、ＨＤＭＩは、ビデオデータの他、オーディオデータおよびその他のデータもひとつのケーブルで送信できる規格のインターフェイスである。更に、ＨＤＭＩは、高品質のマルチチャンネルのオーディオデータと高解像度の各種フォーマットのビデオデータの送信が可能である。
【０００４】
ＨＤＭＩは、ＤＤＣ（Display Data Channel）通信により、各種の情報（モニタの情報、例えば、ＥＤＩＤデータ構造など）を送信するのに用いられることも可能である。ＥＤＩＤ（Extended Display Identification Data）とは、受信機器の受信可能な解像度、オーディオストリーム情報、ＨＤＭＩ受信部の持つスピーカ情報などがある。また、ＨＤＭＩは、ひとつのケーブルでビデオデータおよびオーディオデータを送信することができ、複数ケーブル接続の煩わしさがなくなるという利点を有している。例えば、ＤＶＤプレイヤからＣＳＳ（Content Scrambling System）におけるコンテンツを出力する場合において、ＨＤＭＩは、ＣＰＡＣ（Copy Protection Advisory Council）により承認されている規格のインターフェイスである。
【０００５】
前記ＤＤＣとは、通信形式の名称であり、ビデオデータの表示条件やオーディオデータの条件のデータ以外に、ＨＤＭＩモニタに関する他のデータを併せてＤＶＤプレイヤに送信するのに用いられる回線である。ＤＤＣは、ＤＶＤプレイヤ内の通信線と接続されており、ＤＶＤプレイヤとＨＤＭＩモニタとの間の回線を確立させるために用いられる。前記ＣＳＳは、データを暗号化して記録し、再生時に復号化するシステムである。
【０００６】
ＨＤＭＩ規格におけるデータ伝送は、ビデオ・データ・ピリオド（Video Data Period）、データ・アイランド・ピリオド(Data Island Period)、コントロール・ピリオド(Control Period)の３つの期間に分けて行われる。このうちのビデオ・データ・ピリオドでＥＩＡ／ＣＥＡ−８６ＩＢ規格でフォーマットされたビデオ信号のピクセルデータが伝送され、データ・アイランド・ピリオドではＩＥＣ０６９５８規格でフォーマットされたオーディオストリーム信号のパケットデータが伝送される。また、データ・アイランド・ピリオドでは、エンコードされた水平同期信号と垂直同期信号も伝送される。また、データ・アイランド・ピリオドには、ＴＥＲＣ４（ＴＭＤＳ  Error Reducing Coding in ４bit）符号法により４ビットデータを１０ビットデータにエンコードして生成したパケットデータが含まれる。その生成されたパケットデータには、ＥＩＡ／ＣＥＡ−８６１Ｂ規格のInfo FrameパケットデータやＩＥＣ０６９５Ｂ規格のパケットデータなどがある。
【特許文献１】特開平８−６５８１号公報
【発明の開示】
【発明が解決しようとする課題】
【０００７】
ところで、映像音声信号を送信するＨＤＭＩ対応のＤＶＤプレイヤやＤＶＤレコーダあるいはハードディスクレコーダなどの送信機器が、ＨＤＭＩケーブルを介してテレビジョン受像機などの受信機器に接続され、送信機器からの映像音声信号が受信機器に入力され、これにより、受信機器の表示装置には映像が表示されると共に、受信機器のスピーカから音声が出力される。
【０００８】
例えば、送信機器がＤＶＤプレイヤであり、受信機器がテレビジョン受像機であった場合、ＤＶＤプレイヤとテレビジョン受像機とをＨＤＭＩケーブルにより接続し、ＤＶＤプレイヤを再生動作させると、テレビジョン受像機の表示装置には再生映像が表示され、テレビジョン受像機のスピーカからは再生音声が出力される。
【０００９】
ところが、ＤＶＤプレイヤを再生動作させても、テレビジョン受像機の表示装置には、再生映像が現れずに、砂嵐のような異常な映像が表示され、また、テレビジョン受像機のスピーカからは再生音声が出力されずに、雑音が発生することが稀に生じる。しかし、従来から送信機器では、映像や音声の異常を検出して復帰させる機能を備えていないので、ユーザが意図的にＨＤＭＩケーブルの抜き差しなどを行って、ＨＤＭＩをリセットさせ、正常な状態に復帰させることが多々ある。
【００１０】
しかし、送信機器と受信機器とを接続するＨＤＭＩケーブルの端子は、機器の裏側に設けられたケーブル端子に接続されるので、前記のような異常が発生した場合には、ユーザがＨＤＭＩケーブルの抜き差しを行い易くするために、送信機器と受信機器とを移動させ、例えば、送信機器と受信機器との各裏面をユーザ側に動かし、そして、ＨＤＭＩケーブルの抜き差し等を行わなければならなかった。したがって、従来の送信機器では、ＨＤＭＩ接続を正常な状態に復帰させる作業が面倒であるという課題があった。
【００１１】
なお、特許文献１の従来技術は、例えば、ＣＤプレイヤ等とテレビジョン受像機とが一体化された複合型電子機器であり、ＨＤＭＩケーブルで接続された送信機器と受信機器とではない。また、この従来技術では、リモコンにリセットキーを設けているが、このリセットキーは、カラオケモード利用時から他のモードを利用する際に、カラオケ用の設定状態をキャンセルできるようにするためのものである。
【００１２】
本発明は、上記のような課題を解決するためになされたもので、ＨＤＭＩケーブルを介して受信機器に接続された場合に、受信機器においては、映像が現れずに砂嵐のような異常な映像が表示され、また、音声も正常に出力されずに雑音が発生することが生じた場合に、ＨＤＭＩケーブルの抜き差し等を行わずに、簡単なリモコン操作などでＨＤＭＩ接続を正常な状態に復帰させることができるようにした送信機器を提供することを目的とする。
【課題を解決するための手段】
【００１３】
上記目的を達成するために、請求項１の発明は、ＨＤＭＩケーブルを介して接続された受信機器に映像音声信号を送信するＨＤＭＩ対応の送信機器において、受信機器での映像／音声の出力状態が異常になったときに、リモコンまたは本体操作部に設けられた切断要求用キーのユーザ操作によるＨＤＭＩケーブルの切断要求が有ったか否かを判定する切断要求判定手段と、前記切断要求が有ったと判定されたとき、送信機器と受信機器とがＨＤＭＩケーブルにより接続されていない状態であると見なす等価的な未接続状態に設定する未接続状態設定手段と、ＨＤＭＩケーブルを等価的な未接続状態に設定された後、ＨＤＭＩケーブルに含まれ受信機器との接続の有無を検出するためのフォト・プラグ・ディテクタのラインの電圧を検出することにより、ＨＤＭＩケーブルの再接続処理を行う再接続処理手段と、前記再接続処理が完了すると、正常なＨＤＭＩの出力／入力状態に復帰させる復帰手段とを有するシステムコントローラを備えたことを特徴とする送信機器を提供する。
【００１４】
この構成において、送信機器が例えば再生動作を開始するが、受信機器には、映像が現れずに砂嵐のような異常な映像が表示され、また、音声も正常に出力されずに雑音が発生することが生じた場合に、ユーザは、その異常状態を解消するために、切断要求用キーを押下すると、切断要求判定手段は、ＨＤＭＩケーブルの切断要求が有ったと判定し、更に、未接続状態設定手段は、送信機器と受信機器とがＨＤＭＩケーブルにより接続されていない状態であると見なす等価的な未接続状態に設定する。この後、再接続処理手段は、フォト・プラグ・ディテクタのラインの電圧を検出することにより、ＨＤＭＩケーブルの再接続処理を行う。そして、前記再接続処理が完了すると、復帰手段は、正常なＨＤＭＩの出力／入力状態に復帰させる。
【００１５】
この構成によれば、送信機器がＨＤＭＩケーブルを介して受信機器に接続された場合に、受信機器においては、映像が現れずに砂嵐のような異常な映像が表示され、また、音声も正常に出力されずに雑音が発生することが生じた場合に、ＨＤＭＩケーブルの抜き差し等を行わずに、リモコン操作などで、容易にＨＤＭＩ接続を正常な状態に復帰させることができ、ユーザにとっては使い勝手が向上する。
【００１６】
請求項２の発明は、ＨＤＭＩケーブルを介して接続された受信機器に映像音声信号を送信するＨＤＭＩ対応の送信機器において、受信機器での映像／音声の出力状態が異常になったときに、ユーザ操作によるＨＤＭＩケーブルの切断要求が有ったと判定したとき、ＨＤＭＩケーブルを等価的な未接続状態に設定し、この後、ＨＤＭＩケーブルに含まれ受信機器との接続の有無を検出するためのフォト・プラグ・ディテクタのラインの電圧を検出することにより、ＨＤＭＩケーブルの再接続処理を行い、正常なＨＤＭＩの出力／入力状態に復帰させる制御を行うシステムコントローラを備えたことを特徴とする送信機器を提供する。
【００１７】
この構成において、受信機器での映像／音声の出力状態が異常になったときに、システムコントローラは、ユーザ操作によるＨＤＭＩケーブルの切断要求が有ったと判定したとき、ＨＤＭＩケーブルを等価的な未接続状態に設定し、この後、ＨＤＭＩケーブルに含まれ受信機器との接続の有無を検出するためのフォト・プラグ・ディテクタのラインの電圧を検出することにより、ＨＤＭＩケーブルの再接続処理を行い、正常なＨＤＭＩの出力／入力状態に復帰させる制御を行う。
【００１８】
この構成によれば、送信機器がＨＤＭＩケーブルを介して受信機器に接続された場合に、受信機器においては、映像が現れずに砂嵐のような異常な映像が表示され、また、音声も正常に出力されずに雑音が発生することが生じた場合に、ＨＤＭＩケーブルの抜き差し等を行わずに、リモコン操作などで、容易にＨＤＭＩ接続を正常な状態に復帰させることができ、ユーザにとっては使い勝手が向上する。
【００１９】
請求項３の発明では、請求項２の発明において、前記システムコントローラは、受信機器での映像／音声の出力状態が異常になったときに、リモコンまたは本体操作部に設けられた切断要求用キーのユーザ操作によりＨＤＭＩケーブルの切断要求が有ったか否かを判定する切断要求判定手段と、前記切断要求が有ったと判定されたとき、送信機器と受信機器とがＨＤＭＩケーブルにより接続されていない状態であると見なす等価的な未接続状態に設定する未接続状態設定手段と、ＨＤＭＩケーブルを等価的な未接続状態に設定された後、ＨＤＭＩケーブルに含まれ受信機器との接続の有無を検出するためのフォト・プラグ・ディテクタのラインの電圧を検出することにより、ＨＤＭＩケーブルの再接続処理を行う再接続処理手段と、前記再接続処理が完了すると、正常なＨＤＭＩの出力／入力状態に復帰させる復帰手段とを有する。
【００２０】
したがって、前記システムコントローラは、切断要求判定処理、未接続状態設定処理、再接続処理、および復帰処理を実現でき、これにより、ＨＤＭＩケーブルを介して受信機器に接続された場合に、受信機器においては、映像が現れずに砂嵐のような異常な映像が表示され、また、音声も正常に出力されずに雑音が発生することが生じた場合に、ＨＤＭＩケーブルの抜き差し等を行わずに、リモコン操作などで、容易にＨＤＭＩ接続を正常な状態に復帰させることを可能にする。
【発明の効果】
【００２１】
以上のように本発明によれば、ＨＤＭＩケーブルを介して受信機器に接続された場合に、受信機器においては、映像が現れずに砂嵐のような異常な映像が表示され、また、音声も正常に出力されずに雑音が発生することが生じた場合に、ＨＤＭＩケーブルの抜き差し等を行わずに、リモコン操作などで、容易にＨＤＭＩ接続を正常な状態に復帰させることができ、ユーザにとっては使い勝手が向上する。
【発明を実施するための最良の形態】
【００２２】
以下、添付図面を参照しつつ、本発明の実施の形態について説明する。図１は本発明の一実施形態に係る送信機器を含む映像音声出力システムの構成を示すブロック図である。
【００２３】
図１において、この映像音声出力システムＡは、ＨＤＭＩ端子付きＤＶＤプレイヤやＤＶＤレコーダあるいはハードディスクレコーダなどのようにビデオデータおよびオーディオデータを送信可能な送信機器１と、この送信機器１とＨＤＭＩケーブル２を介して接続され、送信機器１からのビデオデータにより映像を表示すると共に、送信機器１からのオーディオデータにより音声を出力する機能を有するテレビジョン受像機やプロジェクタなどのような受信機器３とから構成される。
【００２４】
送信機器１が例えばＤＶＤプレイヤであった場合、送信機器１は、スピンドルモータ１２により回転するＤＶＤ１１に記録されたデータを光学的に読み出す光ピックアップ１３と、この光ピックアップ１３により読み出されたデータを復調処理およびエラー訂正処理を行う信号処理部１４と、この信号処理部１４からのデータを入力して所定のデコード処理を行うデコーダ部１５と、このデコーダ部１５からのデータをＨＤＭＩケーブル２を介して受信機器３に送信するＨＤＭＩ送信部１６と、複数の操作キーを有し押下された操作キーに対応する操作信号を出力する本体操作部１７と、ＣＰＵ１８とＲＯＭ１９とＲＡＭ２０を有するマイクロコンピュータを含み構成されるシステムコントローラ２１と、リモコン４からの光操作信号を電気信号に変換する２２とを備えている。また、受信機器３は、ＨＤＭＩ受信部３１と表示装置３２と音声出力装置３３とを備えている。
【００２５】
システムコントローラ２１は、受信機器３での映像／音声の出力状態が異常になったときに、リモコン４または本体操作部１７に設けられた切断要求用キーのユーザ操作によるＨＤＭＩケーブル２の切断要求が有ったか否かを判定する切断要求判定手段と、前記切断要求が有ったと判定されたとき、送信機器１と受信機器３とがＨＤＭＩケーブル２により接続されていない状態であると見なす等価的な未接続状態に設定する未接続状態設定手段と、ＨＤＭＩケーブル２を等価的な未接続状態に設定された後、ＨＤＭＩケーブル２に含まれ受信機器３との接続の有無を検出するためのＨＰＤ（ Hot Plug Detector ； フォト・プラグ・ディテクタ）のラインＬ１の電圧を検出することにより、ＨＤＭＩケーブル２の再接続処理を行う再接続処理手段と、前記再接続処理が完了すると、正常なＨＤＭＩの出力／入力状態に復帰させる復帰手段とを有する。
【００２６】
ＨＤＭＩケーブル２は、ＴＭＤＳ（Transition Minimized Differential Signaling）方式でＨＤＭＩ送信部１６からのビデオデータおよびオーディオデータを受信機器３に送信するためのＴＭＤＳのラインＬ２と、送信機器１が受信機器３との接続の有無を検出するためのＨＰＤ（Hot Plug Detector）のラインＬ１と、送信機器１が受信機器３からの表示条件の情報を含む条件情報を取得するためのＤＤＣ（Display Data Channel）のラインＬ３とを備えている。また、ラインＬ３には、送信機器１の各構成要素を制御するＣＰＵ１８と、このＣＰＵ１８の動作に必要なプログラムやデータが記憶されたＲＯＭ１９と、ＣＰＵ１８の動作に必要なデータを一時的に格納するＲＡＭ２０とが接続されている。本体操作部１７は、送信機器１を再生動作や送信動作あるいはその他の動作を行わせるための複数の操作キーを有し、操作信号をＣＰＵ１８に入力するためのものである。受光部２２は、リモコン４からの光操作信号を受光して、電気信号の操作信号に変換して本体操作部１７を介してＣＰＵ１８に入力するためのものである。
【００２７】
図２は本実施形態において送信機器がＤＶＤプレイヤであった場合のリモコンのキー配置の一例を示す図である。図２において、リモコン４の操作パネル４２には、電源キー４０１、トレイ開閉キー４０２、音量キー４０３、複数の数字キー４０４、ＤＶＤモード切換キー４０５、ＴＶモード切換キー４０６、再生リストキー４０７、メニューキー４０８、上方向きー４０９、下方向キー４１０、左方向キー４１１、右方向キー４１２、決定キー４１３、早戻しキー４１４、停止キー４１５、再生キー４１６、早送りキー４１７、切断要求用キーとしてのリセットキー４１８などが配置されている。なお、ここでのキーの配置や個数は一例であるので、これに限ることはない。
【００２８】
図３は本実施形態においてＨＤＭＩ接続に異常が発生した場合に対処するための処理を説明するためのフローチャートである。このフローチャートおよび図１、図２を参照してＨＤＭＩ接続に異常が発生した場合に対処するための処理について説明する。ここでは、送信機器１がＤＶＤレコーダであり、受信機器３がテレビジョン受像機である場合について説明する。
【００２９】
先ず、送信機器１と受信機器３とがＨＤＭＩケーブル２により接続された後、送信機器１の本体電源スイッチおよび受信機器３の本体電源スイッチがオンされて待機状態になっているときに、リモコン４のＤＶＤモード切換キー４０５が押下された後、電源キー４０１が押下されることにより、送信機器１の主電源がオンされ、また、ＴＶモード切換キー４０５が押下されることにより、受信機器３の主電源がオンされる。そして、リモコン４のＤＶＤ切換キー４０５が押下されて、リモコン４の操作モードがＤＶＤモードにされた後、リモコン４のトレイキー４０２が押下されることにより、図示しないトレイがオープンされ、そのトレイにＤＶＤ１１が載置され、再びトレイキー４０２が押下されることにより、ＤＶＤ１１がトレイと共に送信機器１内に挿入される。
【００３０】
この後、リモコン４の再生キー４１６が押下されることにより、送信機器１が再生動作を開始するが、受信機器３の表示装置３２には、再生映像が現れずに砂嵐のような異常な映像が表示され、また、再生音声も正常に出力されずに雑音が発生することが生じた場合に（ステップＳ１）、ユーザは、その異常状態を解消するために、リモコン４のリセットキー４１８を押下すると（本体操作部１７にリセットキーが設けられている場合は、このリセットキーを押下しても良い）、リモコン４からＨＤＭＩケーブル２を切断処理するための切断要求光信号を送信する。これに応答して、切断要求光信号を受光した受光部２１は、その切断要求光信号を電気信号の切断要求信号に変換して、その切断要求信号を本体操作部１７を介してシステムコントローラ２１に入力する。
【００３１】
これにより、システムコントローラ２１の切断要求判定手段は、リセットキー４１８のユーザ操作によるＨＤＭＩケーブル２の切断要求が有ったと判定し（ステップＳ２）、更に、システムコントローラ２１の未接続状態設定手段は、送信機器１と受信機器３とがＨＤＭＩケーブル２により接続されていない状態であると見なす等価的な未接続状態に設定する（ステップＳ３）。即ち、未接続状態設定手段は、ＨＰＤのラインＬ１の電圧が０Ｖ（ＨＤＭＩケーブル２が切断状態）であるのと同じ状態に設定し、ＣＰＵ１８に対してＨＤＭＩケーブル２が切断されている状態であると錯覚させる。
【００３２】
ＨＤＭＩケーブル２を等価的な未接続状態に設定された後、システムコントローラ２１の再接続処理手段は、ＨＰＤのラインＬ１の電圧（５Ｖ）を検出することにより（ステップＳ４）、ＨＤＭＩケーブル２の再接続処理を行う（ステップＳ５）。即ち、ＨＤＭＩケーブル２が物理的に接続されている場合には、ＨＰＤのラインＬ１の電圧はハイレベル（例えば５Ｖ）になり、規格上、ＨＰＤのラインＬ１の電圧を、再接続処理手段が例えば１００ｍｓ間隔または１００ｍｓ未満の時間間隔でチェックし、ＨＰＤのラインＬ１の電圧がハイレベル（例えば、５Ｖ）であることを検出する。そして、前記再接続処理が完了すると、システムコントローラ２１の復帰手段は、正常なＨＤＭＩの出力／入力状態（送信機器１の出力と受信機器３の入力の状態）に復帰させる（ステップＳ６）。
【００３３】
以上説明したように本実施形態によれば、送信機器１がＨＤＭＩケーブル２を介して受信機器３に接続された場合に、受信機器３においては、映像が現れずに砂嵐のような異常な映像が表示され、また、音声も正常に出力されずに雑音が発生することが生じた場合に、ＨＤＭＩケーブル２の抜き差し等を行わずに、リモコン操作などで、容易にＨＤＭＩ接続を正常な状態に復帰させることができ、ユーザにとっては使い勝手が向上する。
【産業上の利用可能性】
【００３４】
本発明は、ＨＤＭＩケーブルを介して接続されたテレビジョン受像機などの受信機器に映像音声信号を送信するＨＤＭＩ対応のＤＶＤプレイヤやＤＶＤレコーダあるいはハードディスクレコーダなどの送信機器に利用可能であり、受信機器から出力される映像や音声が異常になったときに映像や音声を正常に復帰させることができる。
【図面の簡単な説明】
【００３５】
【図１】本発明の一実施形態に係る送信機器を含む映像音声出力システムの構成を示すブロック図である。
【図２】前記実施形態において送信機器がＤＶＤプレイヤであった場合のリモコンのキー配置の一例を示す図である。
【図３】前記実施形態においてＨＤＭＩ接続に異常が発生した場合に対処するための処理を説明するためのフローチャートである。
【符号の説明】
【００３６】
１    送信機器
２    ＨＤＭＩケーブル
３    受信機器
２１    システムコントローラ（切断要求判定手段、未接続状態設定手段、再接続処理手段、復帰手段）
４１８    リセットキー（切断要求用キー）
【図１】
2008182525.tif 000003
【図２】
2008182525.tif 000004
【図３】
2008182525.tif 000005